(57)【要約】      （修正有）【課題】加熱調理器から離れた場所で加熱部を操作することができ、使い勝手に優れた加熱調理器を提供する。【解決手段】加熱調理器１００は、調理容器が載置されるトッププレート１０と、トッププレートの下方に配置された複数の加熱部と、加熱調理器の動作を制御する制御部と、制御部に操作指令を与える複数の操作部４ａ〜４ｈと、操作部を保持する操作部保持台５Ａ、５Ｂと、を備えている。操作部は、操作部保持台に着脱自在に保持されており、制御部に無線通信を介して操作指令を与えるように構成されている。【選択図】図３
2020009605.tif 000002
【特許請求の範囲】
【請求項１】
調理容器が載置されるトッププレートと、
前記トッププレートの下方に配置された複数の加熱部と、
加熱調理器の動作を制御する制御部と、
前記制御部に操作指令を与える複数の操作部と、
前記操作部を保持する操作部保持台と、を備え、
前記操作部は、前記操作部保持台に着脱自在に保持されており、前記制御部に無線通信を介して操作指令を与えるように構成されている、加熱調理器。
【請求項２】
前記操作部は、前記加熱部ごとに対応させて設けられている、請求項１に記載の加熱調理器。
【請求項３】
前記操作部保持台から取り外した各々の前記操作部は、複数の前記加熱部のうちいずれかを選択して操作することができる構成とされ、
前記制御部は、前記操作部が選択した前記加熱部を制御する、請求項１又は２に記載の加熱調理器。
【請求項４】
調理台と一体として構成されており、
前記操作部保持台は、前記操作部と共に前記調理台の内部から引き出し又は内部へ収納自在に構成されている、請求項１〜３のいずれか一項に記載の加熱調理器。
【請求項５】
前記操作部が前記調理台の内部に収納されたか否かを検知する操作部検知手段を更に備えており、
前記制御部は、前記操作部検知手段の検知に基づいて、いずれかの前記操作部が前記調理台の内部に収納された判断すると、すべての前記加熱部を停止させる制御を行う、請求項４に記載の加熱調理器。
【請求項６】
前記操作部保持台は、前記操作部と共に調理器本体の内部から引き出し又は内部へ収納自在に構成されている、請求項１〜３のいずれか一項に記載の加熱調理器。
【請求項７】
前記操作部が前記調理器本体の内部に収納されたか否かを検知する操作部検知手段を更に備えており、
前記制御部は、前記操作部検知手段の検知に基づいて、いずれかの前記操作部が前記調理器本体の内部に収納された判断すると、すべての前記加熱部を停止させる制御を行う、請求項６に記載の加熱調理器。
【請求項８】
前記操作部の振動を検知する振動検知手段を更に備えており、
前記制御部は、前記振動検知手段の検知に基づいて、すべての前記加熱部を停止させる制御を行う、請求項１〜７のいずれか一項に記載の加熱調理器。
【請求項９】
前記制御部に無線通信を介して操作指令を与える独立したリモコン操作機を、更に備えており、
前記リモコン操作機は、複数の前記加熱部のうちいずれかを選択して操作することができる構成とされ、
前記制御部は、前記リモコン操作機が選択した前記加熱部を制御する、請求項１〜８のいずれか一項に記載の加熱調理器。
【発明の詳細な説明】
【技術分野】
【０００１】
本発明は、複数の操作部を備えた加熱調理器に関するものである。
【背景技術】
【０００２】
従来、調理台の内部に格納されるビルトイン型の加熱調理器、或いは調理台の上部に設置される据置型の加熱調理器が知られている。この加熱調理器は、調理容器が載置されるトッププレートと、複数の加熱部と、加熱調理器の動作を制御する制御部と、制御部に操作指令を与える複数の操作部と、を備えている。例えば特許文献１に開示された加熱調理器は、アイランドキッチンと称されるキッチンキャビネットの内部に格納されたものであって、キッチン側のキッチン天面の手前とリビング側のキッチン天面の手前のそれぞれに、操作ユニットが設けられた構成である。
【先行技術文献】
【特許文献】
【０００３】
【特許文献１】特開２００９−２７７５２０号公報
【発明の概要】
【発明が解決しようとする課題】
【０００４】
特許文献１に開示された加熱調理器は、操作部がキッチンキャビネットに設けられた操作部置台等に固定されている。そのため、使用者は、使用したい加熱部に対応する操作部の位置まで移動しなければならず、不便を強いられていた。また、加熱調理器１００で調理しながら、その上面を食卓としても使用する場合には、使用したい加熱部の前に人が座っていると、当該加熱部の操作部を使用するために、席を替わらなければならず、面倒であった。例えば加熱調理器から離れた場所で加熱部を操作することができれば、利便性が向上し、種々の調理スタイルに合わせて操作することができる。
【０００５】
本発明は、上記のような課題を解決するためになされたもので、加熱調理器から離れた場所で加熱部を操作することができ、使い勝手に優れた加熱調理器を提供することを目的とする。
【課題を解決するための手段】
【０００６】
本発明に係る加熱調理器は、調理容器が載置されるトッププレートと、前記トッププレートの下方に配置された複数の加熱部と、加熱調理器の動作を制御する制御部と、前記制御部に操作指令を与える複数の操作部と、前記操作部を保持する操作部保持台と、を備え、前記操作部は、前記操作部保持台に着脱自在に保持されており、前記制御部に無線通信を介して操作指令を与えるように構成されているものである。
【発明の効果】
【０００７】
本発明に係る加熱調理器によれば、操作部が操作部保持台に着脱自在に保持されており、制御部に無線通信を介して操作指令を与えるように構成されているので、操作部保持台から取り外した操作部を使用して、加熱調理器から離れた場所で加熱部を操作することができ、使い勝手に優れている。
【図面の簡単な説明】
【０００８】
【図１】本発明の実施の形態１に係る加熱調理器であって操作部を調理台の内部から引き出した状態を示した外観斜視図である。
【図２】本発明の実施の形態１に係る加熱調理器であって操作部を調理台の内部に収納した状態を示した外観斜視図である。
【図３】本発明の実施の形態１に係る加熱調理器であっていずれかの操作部を操作部保持台から取り外した状態を示した外観斜視図である。
【図４】本発明の実施の形態１に係る加熱調理器の内部構造を示した要部断面図である。
【図５】本発明の実施の形態１に係る加熱調理器の主要部の概略構成図である。
【図６】本発明の実施の形態１に係る加熱調理器の操作部を模式的に示した斜視図である。
【図７】本発明の実施の形態１に係る加熱調理器の変形例であって、内部構造を示した要部断面図である。
【図８】本発明の実施の形態１に係る加熱調理器であってリモコン操作機を備えた構成を示した説明図である。
【図９】本発明の実施の形態２に係る加熱調理器の要部を拡大して示した側面図である。
【発明を実施するための形態】
【０００９】
以下、図面を参照して、本発明の実施の形態について説明する。なお、各図中、同一又は相当する部分には、同一符号を付して、その説明を適宜省略又は簡略化する。また、各図に記載の構成について、その形状、大きさ、及び配置等は、本発明の範囲内で適宜変更することができる。
【００１０】
実施の形態１．
図１は、本発明の実施の形態１に係る加熱調理器であって操作部を調理台の内部から引き出した状態を示した外観斜視図である。図２は、本発明の実施の形態１に係る加熱調理器であって操作部を調理台の内部に収納した状態を示した外観斜視図である。図３は、本発明の実施の形態１に係る加熱調理器であっていずれかの操作部を操作部保持台から取り外した状態を示した外観斜視図である。図４は、本発明の実施の形態１に係る加熱調理器の内部構造を示した要部断面図である。図５は、本発明の実施の形態１に係る加熱調理器の主要部の概略構成図である。
【００１１】
実施の形態１に係る加熱調理器１００は、加熱源である誘導加熱コイルに高周波電流を流すことによって生じる高周波磁束で渦電流を誘起し、それによって発生するジュール熱で被加熱物の加熱を行う誘導加熱調理器である。この加熱調理器１００は、図１及び図２に示すように、例えば壁から離れた場所に島のようにシンク２０１及びキッチン天面２０２が配置されたアイランドキッチンと称される調理台２００の内部に格納されており、該調理台２００と一体となっている。調理台２００が設置された空間では、調理台２００を挟んでキッチン側Ａとリビング側Ｂとで構成される。このような調理台２００は、加熱調理を行いながら周囲を食卓として利用することもできるし、加熱調理を行わないときに加熱調理器１００の上面を食卓して使用することもできる。なお、加熱調理器１００は、調理台２００の内部に格納された構成に限定されるものではなく、例えば調理台２００に連結されたテーブル状の台又は食卓に格納される場合もある。
【００１２】
実施の形態１に係る加熱調理器１００は、図１〜図５に示すように、本体ケース１と、本体ケース１の内部に収納された複数の加熱部２ａ〜２ｄと、加熱調理器１００の動作を制御する制御部３と、制御部３に操作指令を与える複数の操作部４ａ〜４ｈと、操作部４ａ〜４ｈをそれぞれ保持する操作部保持台５Ａ及び５Ｂと、を備えている。
【００１３】
本体ケース１は、上部が開口した箱形状で構成され、調理台２００の内部に格納されている。本体ケース１の上面には、上面開口を覆うトッププレート１０が設けられている。なお、図示することは省略したが、本体ケース１には、本体ケース１内の部品を冷却するための冷却風を吸込み或いは排出する開口部が形成されている。
【００１４】
トッププレート１０は、平板形状に形成された例えば耐熱性ガラス又はセラミック等の非金属材料で構成されている。トッププレート１０は、上面がキッチン天面２０２と略同一面となるように設けられている。トッププレート１０の上面には、調理容器９の載置位置を示す載置位置表示部１０ａ〜１０ｄが印刷等により表示されている。これらの載置位置表示部１０ａ〜１０ｄの下方には、加熱手段である加熱部２ａ〜２ｄが対向して配置されている。なお、載置位置表示部１０ａ〜１０ｄは、印刷等による表示に限らず、例えば電源を入れると光って載置位置を表示する構成でもよい。
【００１５】
加熱部２ａ〜２ｄは、本体ケース１の内部に配置された例えば４つの加熱コイルからなり、これらの加熱コイルの電力を制御する制御基板３０によって制御される。なお、加熱源として４つの加熱コイルを用いているが、すべてを加熱コイルとする必要は無く、例えば、載置位置表示部１０ａ〜１０ｄの下方にラジエントヒーターを設置しても良い。また、加熱部２ａ〜２ｄは、加熱コイルを４つ設けた構成を示しているが、１以上あればよい。
【００１６】
なお、詳細に図示することは省略したが、本体ケース１の内部には、加熱部２ａ〜２ｄを冷却する冷却装置１１が設けられている。冷却装置１１は、例えば冷却ファンで構成され、加熱部２ａ〜２ｄごとに設けられている。冷却装置１１は、加熱部２ａ〜２ｄ及び高周波インバータ回路１２などを冷却する。なお、冷却装置１１は、複数設けることに限らず、１つでもよい。
【００１７】
制御部３は、例えば制御基板３０に実装されたマイコン又はＣＰＵのような演算装置と、その上で実行されるソフトウェアとにより構成されている。なお、制御部３は、その機能を実現する回路デバイスのようなハードウェアにより構成されてもよい。制御部３は、図５に示すように、操作部４ａ〜４ｈから出力される操作信号に基づいて、加熱部２ａ〜２ｄの加熱制御を行うとともに、冷却装置１１の動作制御を行う。制御部３は、操作部４ａ〜４ｈにより指示された火力が入力されると、その火力に応じて設定された電力と高周波インバータ回路１２の出力電力とがほぼ同一となるように駆動信号を生成し、その駆動信号により高周波インバータ回路１２を駆動し、高周波電流を加熱部２ａ〜２ｄに供給する。
【００１８】
操作部４ａ〜４ｈは、加熱部２ａ〜２ｄの動作に関する入力操作を受け付けるものである。図１に示すように、操作部４ａ〜４ｈは、複数の加熱部２ａ〜２ｄごとに対応するように複数で構成されている。具体的には、操作部４ａ〜４ｈは、キッチン側Ａに設けられた４つの操作部４ａ〜４ｄと、リビング側Ｂに設けられた４つの操作部４ｅ〜４ｈとで構成されている。例えば操作部４ａ及び４ｅは、載置位置表示部１０ａが表示された加熱部２ａを操作するものである。操作部４ｂ及び４ｆは、載置位置表示部１０ｂが表示された加熱部２ｂを操作するものである。操作部４ｃ及び４ｇは、載置位置表示部１０ｃが表示された加熱部２ｃを操作するものである。操作部４ｄ及び４ｈは、載置位置表示部１０ｄが表示された加熱部２ｄを操作するものである。操作部４ａ〜４ｈは、同一の構成であり、それぞれ独立して操作することができる。
【００１９】
図１〜図４に示すように、操作部４ａ〜４ｄの組は、調理台２００の内部から引き出し又は内部へ収納自在に構成された共通の操作部保持台５Ａによって着脱自在に保持されている。また、操作部４ｅ〜４ｈの組は、調理台２００の内部から引き出し又は内部へ収納自在に構成された共通の操作部保持台５Ｂによって着脱自在に保持されている。操作部４ａ〜４ｈが操作部保持台５Ａ又は５Ｂに着脱自在に保持された構成とは、例えば操作部４ａ〜４ｈと操作部保持台５Ａ又は５Ｂとが互いに嵌り合う嵌合構造を設けた構成でもよいし、操作部保持台５Ａ又は５Ｂの上面に各操作部４ａ〜４ｈを単に載置させただけでもよい。また、操作部４ａ〜４ｈと操作部保持台５Ａ又は５Ｂとにマグネットを設けた構成でもよい。要するに、操作部４ａ〜４ｈを操作部保持台５Ａ又は５Ｂから着脱自在に保持することができれば、どのような形態でもよい。
【００２０】
図６は、本発明の実施の形態１に係る加熱調理器の操作部を模式的に示した斜視図である。操作部４ａ〜４ｈは、複数の加熱部２ａ〜２ｄのいずれかを選択する加熱源選択ボタン４０と、各種の設定ボタン群４１とが設けられている。操作部４ａ〜４ｈは、操作部保持台５Ａ又は５Ｂから取り外した場合に、加熱源選択ボタン４０を押すことによっていずれかの加熱部２ａ〜２ｄを選択して操作することができる。各種の設定ボタン群４１とは、例えば加熱部２ａ〜２ｄの電源ボタン、加熱部２ａ〜２ｄの火力を設定する火力設定ボタン、揚げ物調理又は煮込み調理などの調理に応じた加熱モードを設定する機能設定ボタン、タイマーを設定するタイマー設定ボタン等である。また、操作部４ａ〜４ｈには、使用者が操作した操作情報を表示する操作表示部４２が設けている。操作表示部４２には、例えば加熱源選択ボタン４０で選択した加熱部２ａ〜２ｄを表示させてもよい。
【００２１】
操作部４ａ〜４ｈは、操作部保持台５Ａ又は５Ｂから取り外して制御部３と無線通信できる構成されている。具体的には、各操作部４ａ〜４ｈには、制御部３と通信する通信制御部を備えている。通信制御部は、例えば赤外線を発光する赤外ＬＥＤと、赤外ＬＥＤの発した赤外線を受光するフォトトランジスタとで構成され、制御部３に設けられた通信手段と赤外線通信を行うものである。なお、操作部４ａ〜４ｈは、加熱調理器１００の制御部３と例えば無線ＬＡＮ、近距離無線通信（ＮＦＣ）、又はＢｌｕｅｔｏｏｔｈ（登録商標）等で直接通信できる構成としてもよい。
【００２２】
各操作部４ａ〜４ｈは、図３に示すように、操作部保持台５Ａ又は５Ｂから取り外し、４つの加熱部２ａ〜２ｄのうちいずれかを選択して操作することができる構成とされている。例えば操作部４ａは、加熱源選択ボタン４０を押して、載置位置表示部１０ａ〜１０ｄが表示された加熱部２ａ〜２ｄを操作することができる。制御部３は、各操作部４ａが選択した加熱部２ａ〜２ｄの制御を行う。
【００２３】
なお、操作部４ａ〜４ｈは、図示した構成に限定されない。例えば操作部４ａ〜４ｈは、８つに限定されず２つ以上であればよい。また、操作部４ａ〜４ｈの各種操作ボタン等は、加熱調理器１００の用途に応じて、種々の態様で実施するものとする。
【００２４】
操作部保持台５Ａ及び５Ｂは、図４に示すように、調理台２００の内部であって、キッチン天面２０２の直下に形成された収納スペースに収納自在に設けられている。具体的には、操作部保持台５Ａ及び５Ｂは、固定レールに対して可動レールをスライド自在としたスライドレールから成るスライド機構によって、操作部４ａ〜４ｈと共に調理台２００の内部から引き出し又は内部へ収納自在に構成されている。なお、操作部保持台５Ａ及び５Ｂは、スライド機構に加えて、公知のプッシュ式を採用してもよい。つまり、調理台２００の内部に収納された操作部保持台５Ａ及び５Ｂを押し込むと、操作部保持台５Ａ及び５Ｂが手前に飛び出す。調理台２００から引き出された操作部保持台５Ａ及び５Ｂを、調理台２００の内部に押し込むと固定される。また、上記した操作部保持台５Ａ及び５Ｂの構成は、一例であって、調理台２００の内部から引き出し又は内部へ収納自在に構成することができれば、他の形態でもよい。また、操作部保持台５Ａ及び５Ｂは、調理台２００の外部に固定して設けてもよい。
【００２５】
なお、図７は、本発明の実施の形態１に係る加熱調理器の変形例であって、内部構造を示した要部断面図である。図７に示すように、加熱調理器１００の大きさ及び形状によっては、キッチン天面２０２の直下に形成された収納スペースに操作部保持台５Ａ及び５Ｂを収納自在に設けることができない場合がある。この場合、操作部保持台５Ａ及び５Ｂは、調理台２００の内部であって本体ケース１の下方に形成された収納スペースに収納自在に設けてもよい。
【００２６】
また、実施の形態１に係る加熱調理器１００は、図１〜図３及び図５に示すように、操作部４ａ〜４ｈが調理台２００の内部に収納されたか否かを検知する操作部検知手段６を備えている。操作部検知手段６は、例えばセンサ又はスイッチ等で構成されており、各操作部４ａ〜４ｈが調理台２００の内部に収納されたか否かを検知する。なお、実施の形態１における操作部検知手段６は、操作部保持台５Ａに保持された操作部４ａ〜４ｄのユニット、又は操作部保持台５Ｂに保持された操作部４ｅ〜４ｈのユニットが、調理台２００の内部に収納されたか否かを検知する。
【００２７】
操作部検知手段６は、使用者によって操作部４ａ〜４ｈの検知をオン又はオフに切り換えられる構成とされている。制御部３は、操作部検知手段６がオンである場合において、操作部検知手段６の検知に基づき、操作部４ａ〜４ｄのユニット又操作部４ｅ〜４ｈのユニットが、調理台２００の内部に収納された判断すると、すべての加熱部２ａ〜２ｄを停止させる制御を行う。なお、加熱調理器１００を通常使用する場合においては、操作部検知手段６をオフにしておく。操作部４ａ〜４ｈのいずれかが収納される度に、すべての加熱部２ａ〜２ｄが停止される事態を防ぐためである。そして、使用環境に応じて緊急停止させたい場合に、操作部検知手段６をオンに切り換える。つまり、実施の形態１における操作部検知手段６は、緊急停止スイッチとして機能するものである。
【００２８】
なお、操作部検知手段６は、調理台２００の内部に設けてもよいし、調理台２００の外部に設けてもよい。或いは、操作部４ａ〜４ｈに内蔵させてもよい。要するに、操作部検知手段６は、各操作部４ａ〜４ｈが調理台２００の内部に収納されたか否かを検知することができれば、どのような構成であってもよい。
【００２９】
また、実施の形態１に係る加熱調理器１００は、図５及び図６に示すように、操作部４ａ〜４ｈの振動を検知する振動検知手段７を備えている。振動検知手段７は、各操作部４ａ〜４ｈに内蔵することが好ましいが、調理台２００に設けてもよい。振動検知手段７は、例えば加速度センサ等であり、操作部４ａ〜４ｈに発生した振動を検知するものである。制御部３は、振動検知手段７の検知に基づいて、すべての加熱部２ａ〜２ｄを停止させる制御を行う。つまり、実施の形態１における振動検知手段７は、操作部検知手段６と同じく、緊急停止スイッチとして機能するものである。
【００３０】
なお、図８は、本発明の実施の形態１に係る加熱調理器であってリモコン操作機を備えた構成を示した説明図である。図８に示すように、実施の形態１に係る加熱調理器１００は、制御部３に無線通信を介して操作指令を与える独立したリモコン操作機８を備えてもよい。リモコン操作機８は、複数の加熱部２ａ〜２ｄのうちいずれかを選択して操作することができる構成とされている。制御部３は、リモコン操作機８が選択した加熱部２ａ〜２ｄを制御する。リモコン操作機８の構成は、操作部４ａ〜４ｈと同じである。
【００３１】
以上のように、実施の形態１に係る加熱調理器１００では、調理容器９が載置されるトッププレート１０と、トッププレート１０の下方に配置された複数の加熱部２ａ〜２ｄと、加熱調理器１００の動作を制御する制御部３と、制御部３に操作指令を与える複数の操作部４ａ〜４ｈと、操作部４ａ〜４ｈを保持する操作部保持台５Ａ及び５Ｂと、を備えている。操作部４ａ〜４ｈは、操作部保持台５Ａ又は５Ｂから着脱自在に保持されており、制御部３に無線通信を介して操作指令を与えるように構成されている。よって、加熱調理器１００は、操作部保持台５Ａ又は５Ｂから取り外した操作部４ａ〜４ｈを使用して、加熱調理器１００から離れた場所で加熱部２ａ〜２ｄを操作することができるので、種々の調理スタイルに合わせて操作することができ、使い勝手に優れている。
【００３２】
また、実施の形態１に係る加熱調理器１００では、操作部４ａ〜４ｈが、加熱部２ａ〜２ｄごとに対応させて設けられているので、複数の加熱部２ａ〜２ｄを同時に操作することができるし、使用している加熱部２ａ〜２ｄの操作部４ａ〜４ｈをすぐに確認することができ、使い勝手に優れている。
【００３３】
また、実施の形態１に係る加熱調理器１００では、操作部保持台５Ａ又は５Ｂから取り外した各々の操作部４ａ〜４ｈが、複数の加熱部２ａ〜２ｄのうちいずれかを選択して操作することができる構成とされている。そして、制御部３は、操作部４ａ〜４ｈが選択した加熱部２ａ〜２ｄを制御する。よって、加熱調理器１００では、使用者の操作性をより向上させることができ、使い勝手に優れている。
【００３４】
また、実施の形態１に係る加熱調理器１００では、操作部保持台５Ａ及び５Ｂが操作部４ａ〜４ｈと共に調理台２００の内部から引き出し又は内部へ収納自在に構成されている。よって、加熱調理器１００は、加熱調理を行わない場合に、操作部４ａ〜４ｈを調理台２００の内部に収納することができるので、加熱調理器１００の上面を食卓して使用する際に、操作部４ａ〜４ｈが邪魔になることがない。
【００３５】
また、実施の形態１に係る加熱調理器１００では、操作部４ａ〜４ｈが調理台２００の内部に収納されたか否かを検知する操作部検知手段６を備えている。制御部３は、操作部検知手段６の検知に基づいて、いずれかの操作部４ａ〜４ｈが調理台２００の内部に収納された判断すると、すべての加熱部２ａ〜２ｄを停止させる制御を行う。よって、加熱調理器１００は、使用環境に応じて緊急停止させたい場合に、操作部検知手段６を緊急停止スイッチとしての機能させることができるので、危険な事故を未然に防止することができ、安全かつ安心して使用することができる。
【００３６】
また、実施の形態１に係る加熱調理器１００では、操作部４ａ〜４ｈの振動を検知する振動検知手段７を備えている。制御部３は、振動検知手段７の検知に基づいて、すべての加熱部２ａ〜２ｄを停止させる制御を行う。よって、加熱調理器１００は、使用環境に応じて緊急停止させたい場合に、操作部検知手段６を緊急停止スイッチとしての機能させることができるので、危険な事故を未然に防止することができ、安全かつ安心して使用することができる。
【００３７】
また、実施の形態１に係る加熱調理器１００では、制御部３に無線通信を介して操作指令を与える独立したリモコン操作機８を備えている。リモコン操作機８は、複数の加熱部２ａ〜２ｄのうちいずれかを選択して操作することができる構成とされている。制御部３は、リモコン操作機８が選択した加熱部２ａ〜２ｄを制御する。したがって、加熱調理器１００は、例えば使用したい加熱部２ａ〜２ｄの前に他の人が座っていてもリモコン操作機８で加熱部２ａ〜２ｄを操作することができるので、使い勝手に優れている。また、とっさに加熱部２ａ〜２ｄを停止させたい場合に、即座に対応することができ、危険な事故を未然に防止することもできる。
【００３８】
実施の形態２．
次に、図９に基づいて、本発明の実施の形態２に係る加熱調理器１０１を説明する。図９は、本発明の実施の形態２に係る加熱調理器の要部を拡大して示した側面図である。なお、実施の形態１で説明した加熱調理器１００と同一の構成については、同一の符号を付して、その説明を適宜省略する。
【００３９】
図９に示す実施の形態２の加熱調理器１０１は、据え置き型であり、調理台２００の上面に設置される。実施の形態２の加熱調理器１０１では、操作部保持台５Ａ又は５Ｂが調理器本体１０１Ａの内部から引き出し又は内部へ収納自在に構成されている。具体的には、操作部保持台５Ａ又は５Ｂは、固定レールに対して可動レールをスライド自在としたスライドレールから成るスライド機構によって、操作部４ａ〜４ｈと共に調理器本体１０１Ａの内部から引き出し又は内部へ収納自在に構成されている。なお、操作部保持台５Ａ又は５Ｂは、スライド機構に加えて、公知のプッシュ式を採用してもよい。また、上記した操作部保持台５Ａ又は５Ｂの構成は、一例であって、調理器本体１０１Ａの内部から引き出し又は内部へ収納自在に構成することができれば、他の形態でもよい。
【００４０】
なお、その他の構成については、上記実施の形態１の加熱調理器１００と同じ構成であり、同様の効果を奏するものである。
【００４１】
以上に本発明を実施の形態に基づいて説明したが、本発明は上述した実施の形態の構成に限定されるものではない。例えば、図示した加熱調理器１００の構成は、一例であって、上述した内容に限定されるものではなく、他の構成要素を含んでも同様に実施することができる。また、操作部４ａ〜４ｈは、それぞれ独立して操作部保持台５Ａ又は５Ｂに保持された構成としてもよい。また、操作部検知手段６及び振動検知手段７は、必ずしも設ける必要はなく、省略してもよい。要するに、本発明は、その技術的思想を逸脱しない範囲において、当業者が通常に行う設計変更及び応用のバリエーションの範囲を含むものである。
【符号の説明】
【００４２】
１  本体ケース、２ａ〜２ｄ  加熱部、３  制御部、４ａ〜４ｈ  操作部、５Ａ、５Ｂ  操作部保持台、６  操作部検知手段、７  振動検知手段、８  リモコン操作機、９  調理容器、１０  トッププレート、１０ａ〜１０ｄ  載置位置表示部、１１  冷却装置、１２  高周波インバータ回路、３０  制御基板、４０  加熱源選択ボタン、４１  設定ボタン群、４２  操作表示部、１００、１０１  加熱調理器、１０１Ａ  調理器本体、２００  調理台、２０１  シンク、２０２  キッチン天面、Ａ  キッチン側、Ｂ  リビング側。
【図１】
2020009605.tif 000003
【図２】
2020009605.tif 000004
【図３】
2020009605.tif 000005
【図４】
2020009605.tif 000006
【図５】
2020009605.tif 000007
【図６】
2020009605.tif 000008
【図７】
2020009605.tif 000009
【図８】
2020009605.tif 000010
【図９】
2020009605.tif 000011